(57)【要約】【課題】この発明は、長い滑走をせずに上昇飛翔をすることができ、同時に積載容積の大きな飛翔体を提供する事を目的としている。【解決手段】前後方向の縦断面を翼型とし、かつ両側上縁を下向き傾斜させた、平面視方形の胴体２の両側部に、側方へ突出すると共に前後に長く、後縁が胴体２後端部より後方へ突出する翼体３が突設されたこと、を特徴とする表面効果飛翔体１。  【選択図】図１
2007216846.tif 000002
【特許請求の範囲】
【請求項１】
前後方向の縦断面を翼型とし、かつ両側上縁を下向き傾斜させた、平面視方形の胴体の両側部に、側方へ突出すると共に前後に長く、後縁が胴体後端部より後方へ突出する翼体が突設されたこと、を特徴とする表面効果飛翔体。
【請求項２】
前記翼体は、背面視で翼体下面に、内側が高く外側が低い、下広がりの傾斜面が形成されていること、を特徴とする請求項１に記載された表面効果飛翔体。
【請求項３】
前記翼体は、下面内側における、左右傾斜面の対面間隔が、前部から後部へかけて、次第に狭く形成されていること、を特徴とする請求項１．２のいずれかに記載された、表面効果飛翔体
【請求項４】
前記翼体は、背面視で外側端後部が、胴体後部下端より下位に形成されていること、を特徴とする請求項１〜３のいずれかに記載された、表面効果飛翔体。
【請求項５】
前記翼体は、平面視で、後部を内側から外側へ外広がりの傾斜に、裁断されていること、を特徴とする請求項４に記載された表面効果飛翔体。  
【請求項６】
前記翼体は、背面視で内側後端部が胴体後端部より上位に、せり上って形成されていること、を特徴とする請求項５に記載された表面効果飛翔体。
【請求項７】
前記翼体は、平面視で後部内側傾斜端縁部に、エルロンが形成されていること、を特徴とする請求項５に記載された表面効果飛翔体。
【請求項８】
前記翼体は、外側端部下面が翼体の前部では下がり、翼体後部では胴体後端上部より上位になるよう、捩れていること、を特徴とする請求項５に記載された表面効果飛翔体。
【請求項９】
前記胴体の下部左右側縁部、並びに翼体の下部外側縁部に、フロートが配設されたこと、を特徴とする請求項１〜８のいずれかに記載された表面効果飛翔体。
【発明の詳細な説明】
【技術分野】
【０００１】
本発明は表面効果飛翔体に係り、特に陸上若しくは水上において、短い滑走距離で急上昇可能な表面効果飛翔体に関する。
【背景技術】
【０００２】
従来、飛行機は胴体の左右側に、側外方へ長い主翼を具備し、或いは高速飛行機で三角翼も使用されている。水上機は、胴体の下部に大きなフロートを具備している。
【発明の開示】
【発明が解決しようとする課題】
【０００３】
前記飛行機は、揚力が生じるまで助走しなければならないために、長い滑走路を必要としている。同時に着陸時においても、揚力を保つために必要な速度を維持しながら、降下するため、長い滑走路を必要としている。水上機においては、フロートを具備しているために、波浪が高いと滑走が困難となっている。
三角全翼機は、抵抗が低い、軽量化できるなどの長所がある反面、安定性が悪く、特に離着陸時に安定性が悪い。また荷物積載性が悪いという難点がある。
この発明は、長い滑走をせずに上昇飛翔をすることができ、同時に積載容積の大きな飛翔体を提供する事を目的としている。
【課題を解決するための手段】
【０００４】
この発明の具体的な内容は次の通りである。
【０００５】
(1) 前後方向の縦断面を翼型とし、かつ両側上縁を下向き傾斜させた、平面視方形の胴体の両側部に、側方へ突出すると共に前後に長く、後縁が胴体後端部より後方へ突出する翼体が突設された、表面効果飛翔体。
【０００６】
(2)  前記翼体は、背面視で翼体下面に、内側が高く外側が低い、下広がりの傾斜面が形成されている、前記(1)に記載された表面効果飛翔体。
【０００７】
(3)  前記翼体は、下面内側における、左右傾斜面の対面間隔が、前部から後部へかけて、次第に狭く形成されている、前記(1)(2)のいずれかに記載された、表面効果飛翔体
【０００８】
(4)  前記翼体は、背面視で外側端後部が、胴体後部下端より下位に形成されている、前記(1)〜(3)のいずれかに記載された、表面効果飛翔体。
【０００９】
(5)  前記翼体は、平面視で、後部を内側から外側へ外広がりの傾斜に、裁断されている、前記(4)に記載された表面効果飛翔体。  
【００１０】
(6)  前記翼体は、背面視で内側後端部が胴体後端部より上位に、せり上って形成されている、前記(5)に記載された表面効果飛翔体。
【００１１】
(7)  前記翼体は、平面視で後部内側傾斜端縁部に、エルロンが形成されている、前記(5)に記載された表面効果飛翔体。
【００１２】
(8)  前記翼体は、外側端部下面が翼体の前部では下がり、翼体後部では胴体後端上部より上位になるよう、捩れている、前記(5)に記載された表面効果飛翔体。
【００１３】
(9)  前記胴体の下部左右側縁部、並びに翼体の下部外側縁部に、フロートが配設された、前記(1)〜(8)のいずれかに記載された表面効果飛翔体。
【発明の効果】
【００１４】
本発明によると次のような効果がある。
【００１５】
(1)  請求項１に記載された発明の表面効果飛翔体は、胴体の下面が略水平な平坦面に形成され、胴体の左右両側部に、縦長の翼体が、胴体前後に沿って長く配設されているので、胴体も翼と同じく、飛翔時に揚力を得ることができる。
該翼体は、後部を胴体の後端部より後方へ突出されているので、胴体の下面を後方へ通過する風流は、翼体の外側部によって、側方外への拡散が抑制され、かつ翼体の下面を後方へ通過する風流と干渉しにくい。
翼体の後方が、胴体の後端部より後方に位置することによって、胴体の縦長さを補うと共に、胴体の後方において、水平尾翼の作用をして滑空を安定させる。
胴体の下面が平坦なので、離着陸時に表面効果が得られ、短距離で浮上、急上昇することができるので、短い滑走路でも離着陸することができる。  
【００１６】
(2)  請求項２に記載された発明の表面効果飛翔体は、翼体の下面外側部が下っているために、機体の下面に沿って、後方へ通過する風流は、外側外方への拡散が抑制され、強い風流となり、十分な揚力を得ることができる。
【００１７】
(3)  請求項３に記載された発明の表面効果飛翔体は、翼体下部左右側における傾斜部の対面間隔が、前部から後部へかけて次第に狭く設定されているので、翼体下面に沿って後方へ通過する風流は、加圧されながら通過するため、大きな揚力を得ることができる。
【００１８】
(4)  請求項４に記載された発明の表面効果飛翔体は、前記翼体は、背面視で外側端後部が、胴体後部下端より下位に形成されているので、胴体後端部から後方へ抜けようとする風流も、翼体外側端部によって拡散が抑制されて、強い風流となり揚力へ加効される。
【００１９】
(5)  請求項５に記載された発明の表面効果飛翔体は、前記翼体の平面視で後部を、内側から外側へ外広がりの傾斜に、裁断されているので、翼体の後方へ抜ける風流は、飛翔体の中央よりに寄せられて、空気密度を高め、強い風流となり、揚力を高めることができる。  
【００２０】
(6)  請求項６に記載された発明の表面効果飛翔体は、背面視で翼体の内側後端部が胴体後上部より上位に、せり上がって形成されているので、胴体と翼体とに接して、後方へ抜ける風流が、異なった流動を示し、ピッチングとローリングの発生を抑制して、安定した飛翔をすることができる。
【００２１】
(7)  請求項７に記載された発明の表面効果飛翔体は、平面視で翼体の後部内側傾斜端縁部に、エルロンが形成されているので、ローリング防止と舵取性に優れている。
【００２２】
(8)  請求項８に記載された発明の表面効果飛翔体は、翼体の下面が、前部では外側下りで部では外側が上がっているため、翼体の外側部で、風流の側方への拡散を抑制しながら、後部では水平後方へ風流を抜けさせるので、揚力を高める。
【００２３】
(9)  請求項９に記載された発明の表面効果飛翔体は、胴体、翼体の下部にフロートが配設されているので、水面に浮くことができ、水面からの飛翔、並びに着水をすることができる。
【実施例１】
【００２４】
本願発明の実施例を、図面を参照して説明する。図１は本発明に係る表面効果飛翔体の平面図、図２は要部側図、図３は背面図である。図において車輪は省略されている。
図において、飛翔体(1)の胴体(2)は、平面において略長方形に形成されている。表面効果飛翔体(1)の縦長と横幅は、ほぼ同じに設定されているが、これに限定されるものではない。
【００２５】
胴体(2)の側面は、前部は厚く、後方へ次第に薄くされ、縦断側面は略飛行機の主翼の断面状に形成されている。胴体(2)の左右両側部には、それぞれ翼体(3)が配設されている。
翼体(3)は、平面において、それぞれ胴体(2)の略半分の狭い幅で、前後方向に長く形成されている。
【００２６】
翼体(3)の内側後端部(3a)は、胴体(2)の後部に近接され、外側後端部(3b)は、胴体(2)の後部よりも後方に突出されて、平面における翼体(3)の後部内側(3c)は、前後方向に対して斜面に形成されている。
翼体(3)前端部は、胴体(2)前部より後退され、外側部は更に後退されている。
【００２７】
翼体(3)の側面視は、前部は胴体(2)の厚さと同じく厚く、後部へかけて次第に薄くされ、飛行機の主翼の断面類似形に形成されている。図中符号(4)は昇降舵、(5)はエルロン、(6)は垂直尾翼、(7)は方向舵、(8)は推進器である。
【００２８】
図２における符号(ｓ)は、表面効果飛翔体(1)の側面中心線、(L)は水平線である。胴体(2)の後端部(2a)は、水平線(L)よりやや上に位置されている。
翼体(3)の内側後端部(3a)は、胴体(2)後端部(2a)よりも上に位置されている。翼体(3)の外側後端部(3b)は、胴体(2)の後端部(2a)よりも、水平線(L)よりも下方に位置して形成されている。
【００２９】
図３に背面を示すように、翼体(3)の内側後端部(3a)は、胴体(2)後端部(2a)よりも上に位置されていることと、外側後端部(3b)は、胴体(2)の後端部(2a)よりも下に位置していることから、翼体(3)の後部内側(3c)は、内から外へかけて下る傾斜面に形成されている。
該、左右の傾斜面の対面間隔は、前部から後部へかけて、次第に狭くなるように形成することができる。
【００３０】
上記構成において、推進器(8)が稼働されると、胴体(2)の上下に風流が流れる。上部を流れる風は、障害がないので高速で通過する。胴体(2)の下部へ入る風は、胴体(2)の下部で遮られるために、滞って空気密度が高まり、風圧が高まる。
その結果、胴体(2)前下部の傾斜した下面に当る風は、胴体(2)と地面にあたり、胴体(2)下面の圧力があがり、風圧に作用されて、胴体(2)が持ちあがる。
【００３１】
前進しながら、胴体(2)の前部が少し持ちあげられると、翼体(3)の前下部にも風が入り、全体を持上げる。翼体(3)の下面に風が通過すると、胴体(2)と翼体(3)の下面の広い面積に接して、風が加圧されて通過することになり、風が通過することによる表面効果は、飛翔体(1)の浮上を容易にし、短距離の前進で離陸することができる。
【００３２】
図３において、翼体(3)の下内面は、内側が高い位置にあり、外側は低い位置にあるので、胴体(2)の下面を後方へ通過する風流は、翼体(3)によって側部を囲われたようになり、側方外への散逸が抑制されて、後方へ通過する。
その過程において、翼体(3)の後部内側(3c)は、内側が短く外側が長く傾斜されているために、翼体(3)の内側から先に、気流が後上外へ抜けることになる。
【００３３】
図１において、翼体(3)の後部から抜ける風は、翼体(3)の後部内側(3c)と直交する線と、進行方向線との中間の線方向へ抜ける。また胴体(2)の下面を抜ける風は、やや上向きとなって直後方へ抜ける。
そのため、後部へ抜ける風流は、中央部へ集合することになり、風圧が高まる。その高圧風流が後方へ抜ける反動として、胴体(2)は後部を持上げ、前へ押される。
【００３４】
また、胴体(2)は、後部へ抜ける風流により、反作用として上方へ持上げられることになる。しかし、図２において、胴体(2)の前下部は、前上がりの迎角をもっているので、ここに風圧を受けると、必然的に前上がりの姿勢になるが、その姿勢は、後方へ抜ける風流による、胴体(2)後部の持上げにより、バランスがとれて、ピッチングが生じないため、上空では安定した滑空をすることができる。
【００３５】
すなわち、この表面効果飛翔体(1)は、胴体(2)が扁平で前下部に迎角があるため、この迎角に風流を受けると、揚力が得られると同時に、前上がりとなり、ピッチングを生じるが、前上がりにならないように、抑制する必要がある。その手段が、縦長の翼体(3)の後部による持上作用であり、水平尾翼の作用を具備している。
【００３６】
公知の三角全翼機と比較すると、左右の翼側端三角部がないので、横幅を基準とすると、全体を数倍の大きさにすることができる。胴体(2)が大きいので、積載容量を大きくすることができる。平面において、左右前後の長さがほぼ同じなので、滑空安定性が高い。翼体(3)下面において、外側部が下って、風流の拡散が抑制されているために、翼体(3)の横幅が狭くても、ローリングが生じにくく、安定している。
【００３７】
胴体(2)は、扁平で横幅が広く、前後縦が短いが、翼体(3)の後部が、後方へ突出されていることによって、胴体(2)の縦長さをカバーし、かつ水平尾翼の作用を兼ている。
三角全翼機と比較して、胴体(2)と翼体(3)とが区別されていることによって、それぞれの側面形を変えることができ、それぞれの後方へ通過する風流を変えることが出来たため、ピッチング、ローリングに対する安定性が高められた。
【００３８】
すなわち、胴体(2)は滑空性に適し、翼体(3)は風流調整性に優れている。翼体(3)の下面外側部の下垂傾斜は、三角全翼機には出来ない構成である。翼体(3)の下面外側部の下垂傾斜によって、これに囲まれた胴体(2)下面には、例えば、風流のレールが形成され、この風流のレールの上を、胴体(2)が滑空するような直進性安定が得られる。
【００３９】
翼体(3)の後部が、胴体(2)後端部よりも、後方に突出されていることによって、胴体(2)下面を通過する風流の方が、先に胴体(2)から離脱する。翼体(3)の下面を通過する風流は、後方に通過しながら内側方へ上昇する。この上昇気流は胴体(2)をもちあげる。
【００４０】
胴体(2)と翼体(3)の後部から、後方へ通過する気流は、干渉を起すが、翼体(3)の後部を、平面視、内から外方へ斜に形成したことによって、翼体(3)の内側後端部での干渉が生じにくくなる。
【００４１】
従って、飛翔体(1)の幅は胴体(2)の約２倍なので、通常の飛行機に対比して、極端に幅が狭く、そのことは、横幅を基準にすれば、大きな胴体にすることができて、胴体(2)部分における積載容積を、大きなものとすることができる。
【００４２】
胴体(2)の下面が平坦なので、離着陸時において、表面効果に優れており、その結果、短距離の進行で浮上できるため、長い滑走路を必要としないので、普通の空港を使用しなくても、小さなスペースでも離着陸できる。胴体(2)も翼体(3)と同じく揚力が大きいので、小型エンジンでも飛翔性能に優れ、経済性に優れている。
【実施例２】
【００４３】
図４は、実施例２を示す表面効果飛翔体の平面図、図５は側面図、図６は背面図である。前例と同じ部位には、同じ符号を付して説明を省略する。この実施例２は、胴体(2)については、前例とほぼ変らない。図において推進器、車輪などは省略されている。
【００４４】
図７は、図４におけるＡーＡ断面図、図８は図４におけるＢーＢ断面図である。すなわちこの実施例２において翼体(3)は、前部における下面は、外側下がりに形成されているが、後部へかけて、下面外側部は次第に上位置へ変位されて、後端部では略水平に形成されている。
【００４５】
この結果、胴体(2)の下面を後方へ通過する風流は、翼体(3)の外側部で側外方への散逸が抑制されているが、胴体(2)後部から後方の翼体(3)の下面は、略水平となっているので、翼体(3)の後部での気流は、後方へ流れて揚力を維持し、滑空性も向上する。
また、翼体(3)の内側端は、胴体(2)の外側端より外側に位置しているので、胴体(2)後方へ通過する気流と、翼体(3)下面を通過する気流の干渉が生じにくい。
【実施例３】
【００４６】
図９は、実施例３を示す表面効果飛翔体の底面図、図１０は正面図である。前例と同じ部位には同じ符号を付して説明を省略する。
この実施例３においては、図示するように、底面において、胴体(2)の両側端部にフロート(9)が配設されている。同時に翼体(3)の下部外側端部にも、フロート(10)が配設されている。
【００４７】
該フロート(9)(10)は、外層を金属或いは合成樹脂で形成し、中を中空にするか、或いは発泡合成樹脂を詰装する。胴体(2)或いは翼体(3)を、ＦＲＰなど合成樹脂で成形するときは、フロート(9)(10)も同質材で一体成形する。  
【００４８】
上記のように構成された、この実施例３の表面効果飛翔体(1)は、水上にあるとき、推進器(8)を稼働すると、胴体(2)の下面並びに翼体(3)の下面において、水流はフロート(9)(10)によって外側方へ拡散が抑制されて浮力が生じ、胴体(2)の下面並びに翼体(3)の下面に入る風流が圧力を高めて、表面効果を生み、やがて表面効果飛翔体(1)は、水上を滑空、飛翔することができる。
【００４９】
なお、この発明は、前記実施例に限定されるものではなく、目的に沿って適宜設計変更をすることができる。各実施例の各特徴部位は、適宜組合わせることができる。推進器(8)は当然にジェツトエンジンにすることができる。
【産業上の利用可能性】
【００５０】
この発明の表面効果飛翔体は、積載容積を大きくすることができ、また離着陸時の滑走距離を短くすることができるので、特に短距離地域間における貨物輸送機等に利用される。
【図面の簡単な説明】
【００５１】
【図１】本発明に係る表面効果飛翔体の平面図である。
【図２】図１における側面図である。
【図３】図１における背面図である。
【図４】実施例２を示す表面効果飛翔体の平面図である。
【図５】図４における側面図である。
【図６】図４における背面図である。
【図７】図４におけるＡーＡ断面図である。
【図８】図４におけるＢーＢ断面図である。
【図９】実施例３を示す表面効果飛翔体の底面図である。
【図１０】図９における正面図である。
【符号の説明】
【００５２】
(1)表面効果飛翔体
(2)胴体
(2a)後端部
(3)翼体
(3a)内側後端部
(3b)外側後端部
(3c)後部内側
(4)昇降舵
(5)エルロン
(6)垂直尾翼
(7)方向舵
(8)推進器
(9)(10)フロート
【図１】
2007216846.tif 000003
【図２】
2007216846.tif 000004
【図３】
2007216846.tif 000005
【図４】
2007216846.tif 000006
【図５】
2007216846.tif 000007
【図６】
2007216846.tif 000008
【図７】
2007216846.tif 000009
【図８】
2007216846.tif 000010
【図９】
2007216846.tif 000011
【図１０】
2007216846.tif 000012